【手続補正書】
【提出日】平成16年5月17日(2004.5.17)
【手続補正１】
【補正対象書類名】明細書
【補正対象項目名】全文
【補正方法】変更
【補正の内容】
【書類名】        明細書
【発明の名称】    引出し検知装置
【特許請求の範囲】
【請求項１】
媒体を収納する収納部が装置本体から引出されたことを検知する引出し検知装置であって、
前記収納部が装置本体から引出されたとき、該収納部の引出し動作に連動して引出し検知位置に移動する移動手段と、
前記移動手段が引出し検知位置に移動したことを検知する検知手段と、
電源の投入に連動して、それまでの電断中の前記収納部の引出し動作の有無を、前記検知手段の検知結果に基づいて判定する判定手段と、
を備えた引出し検知装置。
【請求項２】
前記検知手段は、収納部の引出し動作に応じて移動する可動レバーと、該可動レバーの動きを検知する検知センサとから構成される
請求項１記載の引出し検知装置。
【請求項３】
電断中に引出し動作有りと前記判定手段が判定したとき、前記判定結果と前記引出し動作が行われた時間とを記録する記録手段を備えた
請求項１または２記載の引出し検知装置。
【請求項４】
媒体を収納する収納部が装置本体から引出されたことを検知する引出し検知装置であって、
前記収納部が装置本体から引出されたとき、該収納部の引出し動作に連動して引出し検知位置に移動する可動レバーと、
該可動レバーを可動後の位置でロックするロック手段と、
電源の投入に連動して、可動レバーを検知する検知センサの検知信号に基づいてそれまでの電断中の前記収納部の引出し動作の有無を判定する判定手段と、
前記可動レバーのロックを解除するロック解除手段とを備えた
引出し検知装置。
【発明の詳細な説明】
【０００１】
【発明の属する技術分野】
この発明は、例えば金融機関に設置されるＡＴＭ（自動預金支払機）や自動券売機などの取引処理装置に装填される媒体収納装置に備えられるような引出し検知装置に関し、さらに詳しくは引出された収納部の引出し履歴情報を確保して収納された媒体の管理性能を高めることができる引出し検知装置に関する。
【０００２】
【従来の技術】
以下、現金を内部に収納管理するＡＴＭを例にとって説明する。
【０００３】
通常、ＡＴＭの内部には現金を出入れ処理するための紙幣処理装置や硬貨処理装置を搭載しており、これらの収納した現金の管理に際しては、装置本体より現金収納部が引出される毎に、その引出し位置を検知スイッチ、検知センサが検知することに基づいて引出し情報を取得し、この引出し情報をログ・ジャーナル等に記録して引出し履歴情報を管理している。
【０００４】
この引出し履歴情報を確保することにより、現金違算が発生したときの解析に役立てている。例えば、ＡＴＭの収納部に現金違算が発生して違算発生原因を解析するとき、現金収納部が係員により引出された人為的なことによるものか、ＡＴＭ処理不良による機械的なことによるものなのかの判断基準により、違算発生原因を明確に追及して解析することができる。
【０００５】
【発明が解決しようとする課題】
しかし、このような違算発生原因の解析は、電源が入っているときに引出し履歴情報が記録されて証拠として確実に入手できるが、電断中の場合は引出し履歴情報がログやジャーナルに記録されないため不明であり、違算発生原因が人手による可能性があるものか、機械動作の処理不良によるものなのかを特定できず、電断があった場合は違算発生原因を解析できなかった。
【０００６】
そこでこの発明は、電断中に収納部が引出し動作されても該収納部の引出し履歴情報を確実に取得して、収納部の引出し動作を管理できるため、信頼性の高い媒体収納管理性能が得られる引出し検知装置の提供を目的とする。
【０００７】
【課題を解決するための手段】
この発明は、媒体を収納する収納部が装置本体から引出されたことを検知する引出し検知装置であって、前記収納部が装置本体から引出されたとき、該収納部の引出し動作に連動して引出し検知位置に移動する移動手段と、前記移動手段が引出し検知位置に移動したことを検知する検知手段と、電源の投入に連動して、それまでの電断中の前記収納部の引出し動作の有無を、前記検知手段の検知結果に基づいて判定する判定手段とを備えたことを特徴とする。
【０００８】
ここで、媒体とは収納部に収納される紙幣、硬貨、券、カードなどである。
【０００９】
前記収納部とは、媒体を内部に収納する収納空間を有して、装置本体に着脱利用されるカートリッジやカセットの単体、あるいはこれらの収納群を搭載して一括して引出し利用される処理部などである。
【００１０】
前記移動手段とは、収納部の引出し動作に連動して動く可動レバーで構成することができる。
【００１１】
前記検知手段とは、収納部の引出し動作に応じて移動する可動レバーの動きを検知する検知センサで構成することができる。
【００１２】
前記判定手段とは、ＣＰＵで構成することができ、また通知手段を備えて装置本体の制御部に通知することができる。
【００１３】
この結果、装置本体に電源が入っていなくても、該装置本体より収納部が引出されると、この引出し動作に連動して移動手段が移動し、この移動したことを検知手段が検知することにより、判定手段は収納部の引出し動作の有無を判定することができる。
【００１４】
したがって、電源が入っていても、入っていなくても収納部の引出しの有無を確実に確認できるため、違算が発生したときは、その原因が人手による可能性があるものか、機械の処理不良によるものなのかを特定できる。また、電断中の収納部引出し確認用にバッテリを備えて管理するなどの電気的な手法に頼らず、機械的な検知手段を部分的に加味するだけで引出し履歴情報を的確に管理できるため低コスト化が図れる。
【００１５】
このような管理下にあるため、収納部は不必要に引出されることがなくなり、また係員の誤操作による障害発生の低減化が図れる。さらに、現金収納部に適用した場合は、現金管理能力が向上し、信頼性の高い運用管理が図れる。このため、セキュリティ会社などの第３者に委託する場合にも、セキュリティが高い管理下のもとで安心して委託できる。
【００１６】
【発明の実施の形態】
この発明の一実施の形態を以下図面に基づいて詳述する。  
図面はＡＴＭに内蔵される現金処理装置を示し、図１において、この現金処理装置１１は装置本体１２の内部に長方体状を有して一側面より出入れ自由に内蔵されており、この現金処理装置１１の内部に、さらに現金収納部１３と現金装填部１４を内蔵して構成している。
【００１７】
上述の現金処理装置１１の引出しに際しては、引出し方向に沿って配設されたスライドレールやスライドガイド板などのスライド部材１５にガイドされて装置本体１２より引出される。この場合、引出されたことを検知する電気的な引出し検知手段に加えて、機械的な引出し検知装置１６を加味している。
【００１８】
上述の引出し検知装置１６は、装置本体１２に固定された固定ガイド板１７に対し、現金処理装置１１の側面に小さく開口する開口窓１８を介して内部から外部に向けて突出させた引出し検知用の第１レバーＬ1 を引出し方向に対向させて設けることにより、後述する現金処理装置１１の引出し検知動作を行わせる。
【００１９】
図２は固定ガイド板１７と対向して現金処理装置１１に内部構成される引出し検知装置１６を示し、この引出し検知装置１６は上述した引出し検知用の第１レバーＬ1 と、ロック用の第２レバーＬ2 と、ロック用の第３レバーＬ3 と、引出し検知センサＳとを組合せて構成される。
【００２０】
上述の第１レバーＬ1 はＬ形状を有し、そのレバーの屈曲位置を第１回動軸１９で軸支して基板２０上に回動自由に取付けている。さらに、この第１レバーＬ1 のＬ形内端位置には第１付勢バネ２１を取付けている。この第１付勢バネ２１は基板２０上の第１起立片２２に一端を接続し、この第１起立片２２側を引張り基準位置として同バネ２１の他端を第１レバーＬ1 のＬ形内端位置に接続することにより該レバーＬ1 を図中左回り方向に回動付勢して設け、該レバーＬ1 の内端部の係止対応片２３ａが固定ストッパ片２３に当接した状態で保持され、この保持状態で該レバーＬ1 の外端部に位置する突片２４が上述した開口窓１８を介して外方に臨ませた突出状態にある。
【００２１】
また、この突片２４と回動対応する内方位置には引出し検知センサＳを配設しており、突片２４が外方に突出した状態では引出し検知センサＳは突片２４によって検知位置が遮光されないＯＮ（引出されていない待機）状態にある。
【００２２】
これに対し、図２の想像線および図３に示すように、第１付勢バネ２１の付勢力に抗して第１レバーＬ1 が第１回動軸１９を支点に回動し、突片２４が内方の現金処理装置１１に没入すると、この突片２４が引出し検知センサＳの検知位置を遮光するためＯＦＦ（引出された検知）状態になる。
【００２３】
このときの引出し検知センサＳのＯＮ・ＯＦＦ動作は、現金処理装置１１が装置本体１２より引出されたときに、図３に示すように、逆へ字形状の固定ガイド板１７に第１レバーＬ1 の外方に突出する突片２４が引出し過程で滑らかに接触して次第に押し戻されて没入動作することにより、該レバーＬ1 が回動し、これに基づいて引出し検知センサＳは引出し検知信号（ＯＦＦ信号）を出力して現金処理装置１１が装置本体１２より引出されたことを検知する。
【００２４】
次に、第２レバーＬ2 について説明する。  
この第２レバーＬ2 は細長い長尺状を有し、その中間位置を第２回動軸２５で回動自由に軸支して基板２０上に取付けている。さらに、この第２レバーＬ2 の一端部（図中左端）には、該レバーＬ2 を挟む相反する方向からレバーロック解除用の上部ソレノイド２６と第２付勢バネ２７とを接続している。
【００２５】
上述の第２付勢バネ２７は基板２０上の第２起立片２８に一端を接続し、この起立片２８側を引張り基準位置として同バネ２７の他端を第２レバーＬ2 に接続することにより該レバーＬ2 を図中左回転方向に回動付勢して設け、該レバーＬ2 の他端側の先端係止部２９が既述した固定ストッパ片２３に共通して位置規制された当接状態で保持され、また上述したレバーＬ1 の係止対応片２３ａと対応して第１レバーＬ1 が没入したときの回動位置で第１レバーＬ1 を係止する。
【００２６】
この保持状態で該レバーの一端に接続された上部ソレノイド２６を駆動すると、第２付勢バネ２７の付勢力に抗して第２レバーＬ2 は少し回動し、該レバーＬ2 の先端係止部２９が後述する第３レバーの係合部に係合して第３レバーをロックする。
【００２７】
次に、第３レバーＬ3 について説明する。  
上述の第３レバーＬ3 は凹形状を有し、そのレバー下部位置を第３回動軸３０で回動自由に軸支して基板２０上に取付けている。さらに、この第３レバーＬ3 の一側（図中右端）には、該レバーＬ3 を挟む相反する方向からロック解除用の下部ソレノイド３１と第３付勢バネ３２とを接続している。
【００２８】
上述の第３付勢バネ３２は基板２０上の共通する第２起立片２８に一端を接続し、この起立片２８側を引張り基準位置として同バネ３２の他端を第３レバーＬ3 に接続することにより該レバーＬ3 を図中左回転方向に回動付勢して設け、該レバーＬ3 の一端の係止段部３３ａが基板２０上の第３起立片３３に位置規制された当接状態で保持されている。
【００２９】
この保持状態で該レバーの一端に接続された下部ソレノイド３１を駆動すると、第３付勢バネ３２の付勢力に抗して第３レバーＬ3 は少し回動し、該レバーＬ3 の下部に切欠き形成した逆凹形係止部３４が現金装填装置１４のロック部材３５と外れて現金装填装置１４をロック解除し、現金処理装置１１内に収納されている現金装填装置１４の取出しが可能になる。
【００３０】
また、第３レバーＬ3 の一端部には、上述した第２レバーＬ2 の先端係止部２９と係止対応可能な係止片２９ａを有しており、上部ソレノイド２６のＯＮ動作に基づいて係止対応して第３レバーＬ3 がロックされる。
【００３１】
図４は引出し検知装置１６の制御回路ブロック図を示し、ＣＰＵ４１はＲＯＭ４２に格納されたプログラムに沿って各回路装置を制御し、その制御データをＲＡＭ４３で読出し可能に記憶する。
【００３２】
通信装置４４は、現金処理装置１１が引出されたことを引出し検知センサＳが検知したとき、この検知情報を検知時間の情報も含めて上位の制御部に送信する。またＣＰＵ４１は、ＡＴＭの起動時に、それまでの電断中に現金処理装置１１の引出し動作有りと判定したときにも、その引出し有りの情報を上位の制御部に通知する。
【００３３】
このように構成された引出し検知装置１６は、通常、現金処理装置１１が装置本体１２内にセットされた状態では、図１および図２に示すように、開口窓１８より第１レバーＬ1 の突片２４が突出した状態にあり、該突片２４の内方にあっては引出し検知センサＳが突片２４を検知せず、現金処理装置１１が引出されていないことを確認している。
【００３４】
次に、この現金処理装置１１が装置本体１２より引出し動作されたときは、図３に示すように、第１レバーＬ1 と一体の突片２４が引出し過程で傾斜対向面を有する固定ガイド板１７に次第に加圧接触して突片２４が没入動作することにより該レバーＬ1 が回動し、これに基づいて引出し検知センサＳは突片２４の存在を検知して引出し検知信号を制御部に出力し、現金処理装置１１が装置本体１２より引出されたことを検知する。
【００３５】
したがって、装置本体１２に電源が入っていない運用停止状態で現金処理装置１１が係員により引出し操作された場合は、引出し検知装置１６が機械的に検知すべく、引出し動作に連動して突片２４が引出し検知センサＳの位置を遮光することになり、この状態で起動するため、ＡＴＭの起動時点で引出しの有無情報を入手することができる。
【００３６】
このため、電源が入っていても、入っていなくても現金処理装置１１の引出し有無を確実に管理できる。このため、違算が発生したときは、その原因が人手によるものか、機械の処理不良によるものなのかを特定することができる。
【００３７】
この現金処理装置１１を元の収納セット位置に戻したときには、同じく第１レバーＬ1 の突片２４の位置も上部ソレノイド２６を駆動して初期設定位置に戻す。この復帰動作は、上部ソレノイド２６の駆動に基づいて、第１レバーＬ1 が第２レバーＬ2 による位置規制が解かれて元の復帰位置に戻る。
【００３８】
また、現金装填部１４の取出しに際しては、第３レバーＬ3 を係員が手で持上げるか、下部ソレノイド３１を駆動すると、第３レバーＬ3 が傾動して現金処理装置１１の内部に装填されている現金装填装置１４のロック部材３５との係合が外れてロック解除され、現金装填部１４の取出しが可能になる。
【００３９】
また、ＡＴＭが稼動状態などで現金装填部１４が動作中のときは該現金装填部１４の取出し不可のため、上部ソレノイド２６を駆動して第２レバーＬ2 の先端係止部２９を第３レバーＬ3 の係止片２９ａに係合ロックさせて、第３レバーＬ3 を持上げ規制したロック状態を確保して安全性を保っている。
【００４０】
次に、引出し検知装置１６の処理動作を図５のフローチャートを参照して説明する。  
今、ＡＴＭの電源を入れた時、ＣＰＵ４１は引出し検知センサＳが引出し検知しているか、否かを判定し（ステップｎ1 〜ｎ2 ）、
引出し検知していると判定したときは、第１レバーＬ1 を元の位置に戻すべく上部ソレノイド２６を駆動し、これに基づいて第１レバーＬ1 の突片２４が初期位置に復帰して引出し検知センサＳが引出し検知しない元の位置に戻る（ステップｎ3 〜ｎ6 ）。
【００４１】
このときは、電断中に現金処理装置１１の引出し操作が係員により行われたと判定して、その旨を記録して次の引出し動作に備える。また、上部ソレノイド２６を駆動しても引出し未検知信号が得られなければ、エラー発生を出力する（ステップｎ7 ）。
【００４２】
ＡＴＭの電源を入れた時に、引出し検知センサＳが引出し検知信号を未検知の初期設定のままの場合は、電断中に現金処理装置１１の引出し操作がなかったことを表し、この場合は記録せずに、次の引出し動作に備える（ステップｎ8 ）。
【００４３】
次に、電源ＯＮ中に現金処理装置１１の引出し操作が行われたときは、その旨を引出し検知装置１６が検出し、現金処理装置１１が再び係員により元の位置に戻されて再セットされると、既述したステップｎ4 〜ｎ6 と同様に、上部ソレノイド２６を駆動して第１レバーＬ1 の突片２４を初期設定位置に戻す（ステップｎ9 〜ｎ13）。
【００４４】
この引出し時にも、電源ＯＮ中に現金処理装置１１の引出し動作が行われたことを時間と共に記録する（ステップｎ14）。
【００４５】
上述のように、装置本体に電源が入っていなくても、該装置本体より現金処理装置が引出されると、この引出し動作に連動して第１レバーが移動し、この移動したことを引出し検知センサが検知することにより、ＣＰＵは現金処理装置の引出し動作の有無を判定することができる。したがって、電源が入っていても、入っていなくても現金処理装置の引出しの有無を確実に確認できるため、違算が発生したときは、その原因が人手によるものか、機械の処理不良によるものなのかを特定することができる。また、バッテリを備えて管理するなどの電気的な手法に頼らないため低コスト化が図れ、機械的な検知手段を加味するだけで引出し履歴情報を的確に管理することができる。
【００４６】
このような管理下にあるため、現金処理装置は不必要に引出されることがなくなり、また係員の誤操作による障害発生の低減化が図れる。さらに、ＡＴＭなどの現金を取扱う収納部に適用した場合は、現金管理能力が向上し、信頼性の高い運用管理が図れる。このため、セキュリティ会社などの第３者に委託する場合にもセキュリティが高い管理下のもとで安心して委託できる。
【００４７】
この発明の構成と、上述の一実施の形態との対応において、
この発明の収納部は、実施の形態の現金処理装置１１に対応し、
以下同様に、
媒体は、現金に対応し、
移動手段および可動レバーは、第１レバーＬ1 の突片２４に対応し、
ロック手段は、第２レバーＬ２に対応し、
検知手段は、引出し検知センサＳに対応し、
ロック解除手段は、上部ソレノイド２６に対応し、
判定手段は、ＣＰＵ４１に対応し、
通知手段は、通信装置４４に対応するも、
この発明は、請求項に示される技術思想に基づいて応用することができ、上述の一実施の形態の構成のみに限定されるものではない。
【００４８】
例えば、固定ガイド板１７の取付け位置は装置本体１１に限らず、現金装填部１４に現金収納部１３も全て入っている場合、固定ガイド板１７は装置本体１２側に固定するのではなく、現金処理装置１１に固定してもよい。
【００４９】
【発明の効果】
この発明によれば、電源が入っていても、入っていなくても収納部の引出し有無を確実に管理できるため、違算が発生したときは、その原因が人手によるものか、機械の処理不良によるものなのかを特定できる。また、バッテリを備えて管理するなどの電気的な手法に頼らないため低コスト化が図れ、機械的な検知手段を加味するだけで引出し履歴情報を的確に管理することができる。
【図面の簡単な説明】
【図１】  現金処理装置に適用した引出し検知装置の外観斜視図。
【図２】  引出し検知装置の引出し前の状態を示す内部構成図。
【図３】  引出し検知装置の引出し後の状態を示す内部構成図。
【図４】  引出し検知装置の制御回路ブロック図。
【図５】  引出し検知装置の処理動作を示すフローチャート。
【符号の説明】
１１…現金処理装置
１２…装置本体
１６…引出し検知装置
１７…固定ガイド板
Ｌ1 …第１レバー
Ｓ…引出し検知センサ
２４…突  片
４１…ＣＰＵ
４４…通信装置